(57)【要約】【課題】高い浸透性を有し、効果的に紙の柔軟性を高めながらも紙の強度低下を抑制することができ、さらに、経時的に衛生紙から臭気が生じることを抑制することかできる衛生紙用柔軟剤の提供。【解決手段】（Ａ）グリセリン、（Ｂ）水、および（Ｃ）グルコースの平均重合度が１．０〜２．０であり、アルキル基の炭素数が８〜１６であるアルキルポリグルコシドを含有し、（Ａ）成分と（Ｂ）成分と（Ｃ）成分の合計含有量を１００質量部としたとき、（Ａ）成分の含有量が７０〜９４．９質量部、（Ｂ）成分の含有量が５〜２５質量部、（Ｃ）成分の含有量が０．１〜５質量部であって、還元性化合物の含有量が０．０１質量部未満である衛生紙用柔軟剤。【選択図】なし【特許請求の範囲】
【請求項１】
（Ａ）グリセリン、
（Ｂ）水、および
（Ｃ）グルコースの平均重合度が１．０〜２．０であり、アルキル基の炭素数が８〜１６であるアルキルポリグルコシドを含有し、
（Ａ）成分と（Ｂ）成分と（Ｃ）成分の合計含有量を１００質量部としたとき、（Ａ）成分の含有量が７０〜９４．９質量部、（Ｂ）成分の含有量が５〜２５質量部、（Ｃ）成分の含有量が０．１〜５質量部であって、還元性化合物の含有量が０．０１質量部未満である衛生紙用柔軟剤。
【請求項２】
（Ｃ）成分として、アルキル基の炭素数が１０または１２のアルキルポリグルコシドを少なくとも含有し、（Ｃ）成分全体を１００質量部としたとき、アルキル基の炭素数が１０のアルキルポリグルコシドおよびアルキル基の炭素数が１２のアルキルポリグルコシドの合計含有量が５０質量部以上である請求項１に記載の衛生紙用柔軟剤。
【発明の詳細な説明】
【技術分野】
【０００１】
本発明は、ティシュペーパーやトイレットペーパーなどの衛生紙に対して用いられる柔軟剤に関し、詳細には、高い浸透性を有し、効果的に紙の柔軟性を高めながらも紙の強度低下を抑制することができ、さらに、長期保存時に経時的に衛生紙から臭気が生じることを抑制することができる衛生紙用柔軟剤に関する。
【背景技術】
【０００２】
衛生紙（以下、単に「紙」ともいう。）は、ティシュペーパーやトイレットペーパー、ペーパータオルなど日常において顔や手など人の肌に触れる目的にて使用されることが多く、良好な肌触りが求められている。中でもティシュペーパーは、鼻をかむなど顔に対して使用されることが多く、より良好な肌触りが求められ、例えば、薬剤をティシュペーパーに含有させて肌触りを向上させたティシュペーパー、いわゆるローションティシュが市販され人気を博している。
【０００３】
市販のローションティシューの主な特徴としては、しっとり、やわらか、なめらかといった肌触りなどが挙げられる。これらの肌触りを向上させるための薬剤として、多価アルコールなどの保水性を有する化合物が使用されており、薬剤が塗布された紙は水分を含むことで、しっとり感ややわらかさが向上する。一般的に紙は水が浸み込むことにより柔らかくなるが、紙のセルロース繊維間の水素結合は水によって阻害されるので、紙の強度が低下してしまうことがある。つまり、薬剤が紙に浸透し易いと、紙の肌触りは向上するものの紙の強度が低下し易くなるので、ローションティシュ使用の際に破れるといった使い勝手に関わる問題や、ローションティシュの製造の際に紙切れが生じるなどの製造上の問題が生じてしまう。一方、薬剤が紙に浸透し難い場合は、紙の表面上に薬剤がとどまるので、紙が柔らかくなり難いことがあり、ローションティシュの製造において紙の巻きズレ等が生じることがある。
【０００４】
通常、紙力低下に対しては紙力増強剤を添加する方法が考えられる。しかしながら、一般的な紙力増強剤である変性でんぷん、ポリアクリルアミド、ポリビニルアルコールなどのポリマーを添加すると、紙の柔らかさが損なわれるおそれがある。
【０００５】
特許文献１には、水溶性多価アルコール、油性成分、および非イオン性界面活性剤の配合物を繊維ウェブに含浸させることで、紙に柔軟性を付与することが開示されている。この方法は水を配合しないことを特徴としているので、浸透性が不十分であり、柔らかさにムラが生じることがある。
【０００６】
特許文献２には、炭素数４〜２２のアルキル基やアルケニル基を有するアルキルグルコシド系化合物、またはそのアルキルグルコシド系化合物と炭素数８〜２２の脂肪酸からなるエステル化合物を含有する製紙用嵩高剤が開示されている。この方法では、抄紙して得られるシートの嵩が向上され、紙力低下が抑制されたシートが得られるが、十分な柔らかさが得られない。
【０００７】
特許文献３には、セルロース繊維と、セルロースエステル繊維、およびアルキルポリグルコシド水溶液で紙をコーティングすることが開示されている。この方法では、セルロース繊維やセルロースエステル繊維を含むことで紙力の向上は図れるものの、ローションティシュの肌触りとしては硬いという問題がある。
【０００８】
特許文献４には、アルキルグルコシド、塩化カルシウム、プロピレングリコールモノメチルエーテル、３−メチル−１, ３−ブタンジオール、水からなる組成物（実施例１）を紙に含浸させることが開示されている。しかし、この組成物では衛生紙に十分な柔らかさを付与することや強度低下を抑制することができない。
【０００９】
また、ローションティシュ等の衛生紙は顔に対して主として使用される。そのため、経時的に衛生紙から臭気が発生すると、使用者が不快に感じることから、衛生紙に使用する薬剤の臭気は抑制する必要がある。
【先行技術文献】
【特許文献】
【００１０】
【特許文献１】特開平７−８２６６２号公報
【特許文献２】特開２００７−２０４９０６号公報
【特許文献３】特表２０００−５０２４１３号公報
【特許文献４】特開２００８−１０１２８３号公報
【発明の概要】
【発明が解決しようとする課題】
【００１１】
本発明は、高い浸透性を有し、効果的に紙の柔軟性を高めながらも紙の強度低下を抑制することができ、さらに、経時的に衛生紙から臭気が生じることを抑制することかできる衛生紙用柔軟剤を提供することを目的とする。
【課題を解決するための手段】
【００１２】
本発明者らは、鋭意検討した結果、（Ａ）グリセリン、（Ｂ）水、および（Ｃ）特定のアルキルポリグルコシドをそれぞれ所定量で含有する組成物が、衛生紙に対して高い浸透性を有し、効果的に紙の柔軟性を高めながらも紙の強度低下を抑制することができるので、製造時の巻きズレや紙切れが抑制されることを見出した。また、本発明者らは、かかる組成物が経時的に臭気を発生し難いので、ローションティシュ等の衛生紙にかかる組成物を使用した場合でも使用者に不快感を与え難いことを見出した。
【００１３】
すなわち、本発明は、（Ａ）グリセリン、（Ｂ）水、および（Ｃ）グルコースの平均重合度が１．０〜２．０であり、アルキル基の炭素数が８〜１６であるアルキルポリグルコシドを含有し、（Ａ）成分と（Ｂ）成分と（Ｃ）成分の合計含有量を１００質量部としたとき、（Ａ）成分の含有量が７０〜９４．９質量部、（Ｂ）成分の含有量が５〜２５質量部、（Ｃ）成分の含有量が０．１〜５質量部であって、還元性化合物の含有量が０．０１質量部未満である衛生紙用柔軟剤である。
【００１４】
また、本発明の衛生紙用柔軟剤において、（Ｃ）成分として、アルキル基の炭素数が１０または１２のアルキルポリグルコシドを少なくとも含有し、（Ｃ）成分全体を１００質量部としたとき、アルキル基の炭素数が１０のアルキルポリグルコシドおよびアルキル基の炭素数が１２のアルキルポリグルコシドの合計含有量が５０質量部以上であってもよい。
【発明の効果】
【００１５】
本発明の衛生紙用柔軟剤は、高い浸透性を有し、効果的に紙の柔軟性を高めながらも紙の強度低下を抑制することができ、さらに、経時的に衛生紙から臭気が生じることを抑制することができる。
【発明を実施するための形態】
【００１６】
以下、本発明の実施形態を説明する。本発明の衛生紙用柔軟剤は、（Ａ）グリセリン、（Ｂ）水、および（Ｃ）特定のアルキルポリグルコシドをそれぞれ所定量で含有する。
【００１７】
（Ａ）成分のグリセリンとしては、化粧品、医薬品等の原料として使用されているグリセリンが好適に使用される。
【００１８】
（Ｂ）成分の水としては、イオン交換水、蒸留水などの精製水が好適に使用される。
【００１９】
（Ｃ）成分のアルキルポリグルコシドは、例えば、グルコースと高級アルコールとの反応により得られ、反応生成物である複数種類のアルキルポリグルコシドや還元性化合物を含有する組成物である。
本発明で用いられるアルキルポリグルコシドは、グルコースの平均重合度が１．０〜２．０であり、好ましくは１．０〜１．５、より好ましくは１．０〜１．３である。グルコースの平均重合度が１．０未満であると、親水性が低くなりすぎて、本発明の衛生紙用柔軟剤の調製が困難となることがあり、平均重合度が２．０を超えると、親水性が高くなりすぎて、紙力低下の抑制が不十分となることがある。
なお、グルコースの平均重合度は、例えば、フェノール−硫酸法により測定することができる。
【００２０】
本発明で用いられるアルキルポリグルコシドは、アルキル基の炭素数が８〜１６であり、好ましくは９〜１４、さらに好ましくは１０〜１２である。炭素数が８未満の場合は紙力の低下抑制が不十分となることがあり、炭素数が１６を超える場合は浸透性が低下することがある。アルキル基は直鎖でも分岐でも良いが、直鎖あるいはメチル分岐がより好ましい。
【００２１】
（Ｃ）成分として、アルキルポリグルコシドにおけるアルキル基の炭素数が異なる２種類以上のアルキルポリグルコシドを組み合わせることにより、衛生紙に対する浸透性がより良好となる。（Ｃ）成分が２種類以上のアルキルポリグルコシドを含有する場合、アルキル基の平均炭素数が１０〜１２であることが好ましい。なお、アルキル基の平均炭素数は加重平均により算出することができる。
（Ｃ）成分として、アルキル基の炭素数が１０または１２のアルキルポリグルコシドを少なくとも含有し、（Ｃ）成分全体を１００質量部としたとき、アルキル基の炭素数が１０のアルキルポリグルコシドおよびアルキル基の炭素数が１２のアルキルポリグルコシドの合計含有量が５０質量部以上であることが好ましく、さらに好ましくは９０質量部以上である。
【００２２】
異なる炭素数のアルキル基を有するアルキルグルコシドを２種類以上組み合わせる場合、異なる炭素数のアルキル基を有するアルキルグルコシドをそれぞれ調製した後、混合しても良いし、グルコースと、異なる炭素数のアルキル基を有する２種類以上のアルコールとからアルキルポリグルコシドを調製しても良い。アルキルポリグルコシドの調製方法としては、酸触媒存在下で目的鎖長のアルコールとグルコースとから調製する直接法、メチルアルコールやブチルアルコールなどの短鎖アルコールとグルコースを反応させた後に、目的鎖長のアルコールをさらに反応させる間接法などが挙げられ、どちらの方法で調製しても良い。
【００２３】
本発明の衛生紙用柔軟剤は、（Ａ）成分と（Ｂ）成分と（Ｃ）成分の合計含有量を１００質量部としたとき、（Ａ）成分の含有量が７０〜９４．９質量部であり、好ましくは８３．５〜９４．６質量部、さらに好ましくは８７〜９４．６質量部である。（Ａ）成分の含有量が７０質量部未満の場合は、衛生紙に十分な柔らかさを付与することができないことがある。（Ａ）成分の含有量が９４．９質量部を超えると、柔軟剤が衛生紙に対して十分に浸透性し難くなり、衛生紙の表面にとどまりやすくなるので、柔らかさが不足することがある。また、衛生紙に柔軟剤を含ませる製造工程において紙が滑りやすく巻きズレなどが起こるので、生産性が低下することがある。
【００２４】
（Ｂ）成分の含有量は、（Ａ）成分と（Ｂ）成分と（Ｃ）成分の合計含有量を１００質量部としたとき、５〜２５質量部であり、好ましくは５〜１５質量部、さらに好ましくは５〜１２質量部である。（Ｂ）成分の含有量が５質量部未満の場合は、衛生紙に対する柔軟剤の浸透性が不足するので、柔らかさが不足するとともに加工時に滑りやすくなり巻きズレなどが起こることがある。（Ｂ）成分の含有量が２５質量部を超えると、衛生紙に柔軟剤を含ませた直後の紙力が低下するので、衛生紙に柔軟剤を含ませる製造工程において紙切れなどが生じて生産性が低下することがある。
【００２５】
（Ｃ）成分の含有量は、（Ａ）成分と（Ｂ）成分と（Ｃ）成分の合計含有量を１００質量部としたとき、０．１〜５質量部であり、好ましくは０．４〜４質量部、さらに好ましくは０．４〜１．５質量部である。（Ｃ）成分の含有量が０．１質量部未満の場合、衛生紙に対する柔軟剤の浸透性が低下するので、衛生紙を十分に柔らかくできないことがある。（Ｃ）成分の含有量が５質量部を超えると、紙力の低下抑制が不十分となることがある。
【００２６】
上述のとおり、（Ｃ）成分にはアルキルポリグルコシドの他に、通常、還元性化合物が含有されている。（Ｃ）成分に含まれる還元性化合物としては、不純物あるいは分解して生じた還元糖やアルデヒド化合物などが挙げられる。これら還元性化合物は、そのものが臭気源であったり、経時的に臭気化合物に変化したりすることがあるので、（Ａ）成分や（Ｂ）成分と配合する前の段階に除去して、還元性化合物の含有量を低減することが好ましい。（Ｃ）成分における還元性化合物の含有量を低減する方法としては、例えば、アルキルポリグルコシドの製造工程における濾過や吸着剤による処理が挙げられ、特に吸着剤として酸化マグネシウムや酸化アルミニウムなどが含まれた複合金属酸化物を用いることが好ましい。
【００２７】
本発明の衛生紙用柔軟剤は、（Ａ）成分、（Ｂ）成分、（Ｃ）成分の合計質量を１００質量部としたとき、臭気の原因となり得る還元性化合物の含有量が０．０１質量部未満である。本発明の衛生紙用柔軟剤における還元性化合物の含有量をこのように低減することにより、長期保存による経時的な臭気発生を抑制することができるので、顔周りで使用する用途が多い衛生紙、例えばローションティシュに対して好適に使用することかできる。
なお、（Ｃ）成分に含まれ得る還元性化合物の含有量は、例えば、Somogi-Nelson 法（「還元糖の定量法」、福井作蔵著、学会出版センター発行（1985年９刷）を参照）を用い、グルコースを標準として測定することができる。
【００２８】
本発明の衛生紙用柔軟剤は、水添ポリイソブテン、ポリブテン、ポリイソブチレン、ポリイソプレン、流動パラフィン、スクワラン、水添ポリデセン、ワセリン等の炭化水素油、ミリスチン酸イソプロピルやパルミチン酸エチルヘキシルなどのエステル油、高級アルコール、オリーブ油や大豆油などの油脂類、メチルポリシロキサンやその誘導体などのシリコーン油といった油性成分；アルキルリン酸エステル、アルキル硫酸エステル、アルキルスルホコハク酸塩などの陰イオン性界面活性剤、四級アンモニウム塩やアルキルアミン塩などの陽イオン性界面活性剤、アルキルベタインなどの両性界面活性剤、ソルビタン脂肪酸エステルやアルキルアルカノールアミドなどの非イオン性界面活性剤といった界面活性剤；ジグリセリン、プロピレングリコール、１, ３−ブチレングリコール、ソルビトールなどの多価アルコール、およびそれらのオキシアルキレン基付加物；ポリエチレングリコールなどの保湿剤；セルロース誘導体、デンプン誘導体、ポリビニルアルコール、カルボキシビニルポリマー、キサンタンガム、ゲランガム、グアーガム、カードラン、水溶性コラーゲンなどの水溶性高分子；安息香酸、フェノキシエタノール、塩化ベンザルコニウム、メチルイソチアゾリノン、ブチルカルバミン酸ヨウ化イソプロピルといった防腐剤などを他の成分としてさらに含有してもよい。
【００２９】
他の成分として、中でも炭化水素油を含有することが好ましく、特に水添ポリイソブテンのように分岐を有する炭化水素油は、低温低湿度環境下でも衛生紙が硬くなるのを抑えつつ保水性を維持させることができるので好ましい。
さらに、炭化水素油は、４０℃における動粘度が４〜１００ｍｍ２／ｓであるものが好ましく、とりわけ４０℃における動粘度が１０〜５０ｍｍ２／ｓであるものがより好ましい。なお、炭化水素油の動粘度は、JIS K 2283記載の方法に従って測定することができる。
本発明の衛生紙用柔軟剤に炭化水素油を含有させる場合、炭化水素油の含有量は、（Ａ）成分と（Ｂ）成分と（Ｃ）成分の合計含有量を１００質量部としたとき、０．１〜１０質量部であり、好ましくは０．４〜５質量部である。
【００３０】
本発明の衛生紙用柔軟剤は、取り扱いを良くするために、加温して粘度を調整して使用することが好ましい。例えば、４０℃〜６０℃に温調し、粘度を好ましくは５０〜３００ｍＰａ・ｓｅｃ、さらに好ましくは７０〜１５０ｍＰａ・ｓｅｃに調整することで、取り扱いの向上に加えて衛生紙への付着のムラを低減することができる。
なお、上記の粘度は、４０℃における粘度であり、Ｂ型粘度計にて測定することができる。
【００３１】
本発明の衛生紙用柔軟剤を含ませる衛生紙としては、ティシュペーパー、トイレットペーパー、キッチンペーパー等が挙げられるが、特にティシュペーパー、トイレットペーパーに好適である。
衛生紙に本発明の柔軟剤を含ませる方法としては、塗布、含浸、流延などが挙げられ、コーターまたは印刷機による塗布法、スプレー塗布法、浸漬法等により衛生紙に含ませることができる。これらの方法の中でも、グラビア印刷やフレキソ印刷等の印刷方式による塗布法が衛生紙への柔軟剤の付着のムラが少なくなる面で好ましい。
本発明の衛生紙用柔軟剤は、充分な効果を発揮するために、衛生紙１００質量部に対して、５〜３０質量部を衛生紙に含ませることが好ましく、２０〜２５質量部含ませることが特に好ましい。
【実施例】
【００３２】
以下、本発明を実施例および比較例により具体的に説明する。
【００３３】
〔衛生紙用柔軟剤の調製例〕
グリセリンを８９質量部、イオン交換水を１０質量部、表１に示すＣ−２化合物であるアルキルポリグルコシドを１質量部混合して、組成物１（実施例１）を得た。
また、実施例１と同様に、表１に示す（Ｃ）成分のアルキルポリグルコシドを用い、表２および表３に示すとおり、各成分を所定の割合で混合し、組成物２〜組成物１９（実施例２〜１０、比較例１〜９）を調製した。
なお、（Ｃ）‘成分として混合したソルビタンモノオレイン酸エステルはノニオンＯＰ−８０Ｒ（日油株式会社製）、ソルビタンモノラウリン酸エステルはノニオンＬＰ−２０Ｒ（日油株式会社製）、ＰＯＥ（２０）ソルビタンモノラウリン酸エステルはノニオンＬＴ−２２１（日油株式会社製）である。
【００３４】
表１に示す（Ｃ）成分のアルキルポリグルコシド（Ｃ１〜Ｃ８）におけるグルコース平均重合度はそれぞれ以下の方法で分析を行った。
（フェノール−硫酸法）
１．０ｍｌの試料水溶液に５％のフェノール液を１．０ｍｌ加え混ぜ、次に濃硫酸５．０ｍｌを速やかに直接滴下するように加え混合した。常温の水浴中で１０分以上冷却した後、４９０ｎｍでの吸光度を測定した。既知濃度のグルコース水溶液を用いて検量線を作成し糖濃度を算出した。
これより算出される糖の量に対するアルキル量からグルコース平均重合度を算出した。
【００３５】
表１に示す還元性化合物の含有量はSomogi-Nelson 法にてグルコースを標準として測定された数値であり、（Ｃ）成分中の含有量（質量％）を示す。また、表２および表３に示す還元性化合物の含有量は、表１に示す還元性化合物の含有量から算出された、（Ａ）成分と（Ｂ）成分と（Ｃ）成分の合計含有量を１００質量部としたときの含有量（質量部）であり、組成物１６および組成物１８については還元性化合物の含有量を測定していてない。
【００３６】
〔衛生紙用柔軟剤塗布ティシュペーパーの調製例〕
調製した衛生紙用柔軟剤を４０℃に加温して粘度を７０〜１００ｍＰａ・ｓｅｃに調整し、柔軟剤の塗布量が塗布前のティシュペーパー１００質量部に対し２４〜２６質量部となるように柔軟剤をティシュペーパーに印刷方式にて転写塗布した。
衛生紙用柔軟剤が塗布されたティシュペーパーを用いて下記の評価を行い、その結果を表２および表３にまとめた。
【００３７】
〔浸透性の評価〕
浸透性を表す因子の一つとして衛生紙用柔軟剤の紙に対する濡れ性を評価することとし、紙に対する柔軟剤の接触角を測定した。ティシュペーパーでは坪量が小さく浸透が速く測定が困難であるので、サイズ剤が含まれているコピー用紙を用いた。接触角の値が５５°未満であった場合は浸透性が非常に良好（◎）、５５°以上、７０°未満であった場合は良好（○）、７０°以上の場合は不良（×）であると評価した。
【００３８】
〔柔らかさの評価〕
パネラー１５人により、調製した衛生紙用柔軟剤を塗布したティシュペーパーについて官能評価を行なった。調製したティシュペーパーを湿度５０％ＲＨ、温度２３℃環境にて２日間保管後に評価した。標準サンプルと比較して、より柔らかいと感じた場合は「○」、同等または柔らかくないと感じた場合は「×」とし、パネラー１５人の評価のうち５割以上を占めた評価を評価結果とした。１５人全員が「○」をつけた場合は特に「◎」とした。
標準サンプル：グリセリンを水にて１．１倍に希釈したものを塗布前（原紙）のティシュペーパー１００質量部に対し２５質量部塗布したもの。
【００３９】
〔強度の評価〕
強度の評価のため引張強度（紙力）を測定した。調製した衛生紙用柔軟剤を塗布したティシュペーパーを１５×１２０ｍｍに裁断して、引張圧縮試験機（株式会社今田製作所製、ＳＶ−２０１）を用いて、繊維が配向している方向に引っ張ったときの引張強度を測定した。塗布前のティシュペーパーの引張強度の値に対し、調製した衛生紙用柔軟剤を塗布したティシュペーパーの引張強度の低下率を算出した。引張強度低下率が３０以下の場合は「◎」、３０より大きく５０以下の場合は「○」、５０より大きい場合は「×」とした。
【００４０】
〔臭気の評価〕
パネラー１５人により、調製した衛生紙用柔軟剤を塗布したティシュペーパーについて官能評価を行なった。調製したティシュペーパーを湿度５０％ＲＨ、温度５０℃環境にて７日間保管後に評価した。標準サンプルと比較して同等または臭気が少ないと感じた場合は「○」、標準サンプルよりも臭気がすると感じた場合は「×」とし、パネラー１５人の評価のうち５割以上を占めた評価を評価結果とした。１５人全員が「○」をつけた場合は特に「◎」とした。
標準サンプル：グリセリンを水にて１．１倍に希釈したものを塗布前（原紙）のティシュペーパー１００質量部に対し２５質量部塗布したもの。
【００４１】
【表１】
2015206135.tif 000002
【００４２】
【表２】
2015206135.tif 000003
【００４３】
【表３】
2015206135.tif 000004
【００４４】
実施例１〜１０の衛生紙用柔軟剤である組成物１〜１０が塗布されたティシュペーパーは、いずれも浸透性、柔らかさ、強度（紙力）、臭気の点で優れていた。特に、（Ｃ）成分として２種以上のアルキルポリグルコシドを用い、かつアルキル基の炭素数が１０のアルキルポリグルコシドおよびアルキル基の炭素数が１２のアルキルポリグルコシドの合計含有量が５０質量部以上である実施例８および１０（組成物８および１０）では、浸透性ならびに紙力低下抑制率が際立って良好であった。
【００４５】
一方、比較例１では（Ｂ）成分が含まれていないので、浸透性、柔らかさが不十分であった。
比較例２では（Ｂ）成分の含有量が本発明の規定範囲外であるので、紙力の低下抑制が不十分であった。
比較例３では（Ｃ）成分のグルコースの平均重合度が本発明の規定範囲外であるので、浸透性、柔らかさ、および紙力の低下抑制が不十分であった。
比較例４では（Ｃ）成分のアルキル基の炭素数およびグルコースの平均重合度が本発明の規定範囲外であるので、浸透性、柔らかさ、および紙力低下抑制が不十分であった。
比較例５は（Ｃ）成分のアルキル基の炭素数が本発明の規定範囲外であるので、浸透性と柔らかさが不十分であった。
【００４６】
比較例６は（Ａ）成分の含有量が本発明の規定範囲外であり、（Ｂ）成分が含まれておらず、また（Ｃ）成分に代えて、他の非イオン性界面活性剤が配合されているので、浸透性と柔らかさが不十分であった。さらに、使用した非イオン性界面活性剤がオレイン酸エステルであるので、臭気が感じられた。
比較例７は（Ａ）成分が含まれておらず、また（Ｂ）成分および（Ｃ）成分の各含有量が本発明の規定範囲外であるので、柔らかさ、および紙力低下抑制が不十分であった。また、還元性化合物の含有量が多いので、臭気が感じられた。
比較例８は（Ｃ）成分に代えて、他の非イオン性界面活性剤が配合されているので、柔らかさが不十分であった。
比較例９は（Ｃ）成分が還元性化合物を多く含むので、臭気が感じられた。
【００４７】
さらに、本発明の衛生紙用柔軟剤の処方例を以下に具体的に示す。
【００４８】
【表４】
2015206135.tif 000005
【００４９】
【表５】
2015206135.tif 000006
【００５０】
【表６】
2015206135.tif 000007
【００５１】
【表７】
2015206135.tif 000008
【００５２】
【表８】
2015206135.tif 000009
【００５３】
【表９】
2015206135.tif 000010
【００５４】
＊１）表１記載の化合物
＊２）パールリームＥＸ（日油株式会社製）
＊３）モレスコホワイトＰ−７０（株式会社ＭＯＲＥＳＣＯ製）
＊４）SH-200c 20cs（東レ・ダウコーニング株式会社製）
【００５５】
これらの処方例の衛生紙用柔軟剤は、紙への浸透性が良好であり、塗布した紙の柔軟性を高めながらも紙の強度低下を抑制し、さらに衛生紙の経時的な臭気の発生抑制に対して良好であった。また、水添ポリイソブテンや流動パラフィンを加えることで、柔らかさが向上した。
本発明の衛生紙用柔軟剤に係る上記の実施例や処方例から、本発明の衛生紙用柔軟剤は衛生紙に浸透し易く、本柔軟剤を含ませることで、紙の柔軟性を高めながら紙の強度低下を抑制し、さらに経時的な臭気の発生を抑制することができることが分かる。